(57)【要約】  【課題】  携帯型テレビ放送受信装置を設置台上に載置したときにテレビジョン放送受信アンテナのアンテナ利得を高めることができる設置台装置及び携帯型テレビ放送受信装置を提供する。  【解決手段】  テレビ放送受信用のアンテナ素子１２と、テレビ放送受信部１１とを有する携帯型テレビ放送受信装置１を載置し、この携帯型テレビ放送受信装置１によりテレビ放送を視聴する設置台装置であって、携帯型テレビ放送受信装置１を載置すると携帯型テレビ放送受信装置１に設けたアンテナ素子１２と電磁的に結合又は電気的に接続する結合素子２１と、この結合素子２１と電磁的に結合又は電気的に接続した外部アンテナ素子２２とを備えた。  【選択図】  図１
2006303804.tif 000002
【特許請求の範囲】
【請求項１】
テレビ放送受信用のアンテナ素子と、テレビ放送受信部とを有する携帯型テレビ放送受信装置を載置し、前記携帯型テレビ放送受信装置によりテレビ放送を視聴する設置台装置であって、
前記携帯型テレビ放送受信装置を載置すると前記携帯型テレビ放送受信装置に設けた前記アンテナ素子と電磁的に結合又は電気的に接続する結合素子と、
この結合素子と電磁的に結合又は電気的に接続した外部アンテナ素子と
を備えた設置台装置。
【請求項２】
前記外部アンテナ素子は、前記携帯型テレビ放送受信装置に設けた前記アンテナ素子と略平行に配置した請求項１に記載の設置台装置。
【請求項３】
テレビ放送受信用のアンテナ素子と、このアンテナ素子と電磁的に結合又は電気的に接続するアンテナ端子と、テレビ放送受信部とを備えた携帯型テレビ放送受信装置を載置し、前記携帯型テレビ放送受信装置によりテレビ放送を視聴する設置台装置であって、
前記携帯型テレビ放送受信装置を載置すると、前記携帯型テレビ放送受信装置に設けた前記アンテナ端子と電磁的に結合又は電気的に接続する外部アンテナ素子を備えた設置台装置。
【請求項４】
前記外部アンテナ素子は、この電気長と前記携帯型テレビ放送受信装置に設けた前記アンテナ素子の電気長との和が受信信号の搬送波の半波長以上である請求項１〜３のいずれか１項に記載の設置台装置。
【請求項５】
テレビ放送受信用のアンテナ素子と、このアンテナ素子と電磁的に結合又は電気的に接続する接地導体と、テレビ放送受信部とを備えた携帯型テレビ放送受信装置を載置し、前記携帯型テレビ放送受信装置によりテレビ放送を視聴する設置台装置であって、
前記携帯型テレビ放送受信装置を載置すると、前記携帯型テレビ放送受信装置に設けた前記接地導体と電磁的に結合又は電気的に接続する導電性素子を備えた設置台装置。
【請求項６】
前記導電性素子は、電気長が受信信号の搬送波の半波長以上である請求項５に記載の設置台装置。
【請求項７】
テレビ放送受信用のアンテナ素子と、テレビ放送受信部とを有する携帯型テレビ放送受信装置であって、
請求項１に記載の設置台装置に載置してテレビ放送を視聴する際に、前記アンテナ素子と電磁的に結合又は電気的に接続するとともに前記設置台装置に設けた外部アンテナ素子と電磁的に結合又は電気的に接続する結合素子を備えた携帯型テレビ放送受信装置。
【請求項８】
前記アンテナ素子は、前記外部アンテナ素子と略平行に配置した請求項７に記載の携帯型テレビ放送受信装置。
【請求項９】
テレビ放送受信用のアンテナ素子と、前記アンテナ素子と電磁的に結合又は電気的に接続するアンテナ端子と、テレビ放送受信部とを備えた携帯型テレビ放送受信装置であって、
請求項３に記載の設置台装置に載置してテレビ放送を視聴する際に、前記設置台装置に設けた前記外部アンテナ素子と電磁的に結合又は電気的に接続するアンテナ端子を備えた携帯型テレビ放送受信装置。
【請求項１０】
前記アンテナ素子は、この電気長と前記設置台装置に設けた前記外部アンテナ素子の電気長との和が受信信号の搬送波の半波長以上である請求項７〜９のいずれか１項に記載の携帯型テレビ放送受信装置。
【請求項１１】
テレビ放送受信用のアンテナ素子と、テレビ放送受信部とを備えた携帯型テレビ放送受信装置であって、
請求項５に記載の設置台装置に載置してテレビ放送を視聴する際に、前記設置台装置に設けた前記導電性素子と電磁的に結合又は電気的に接続するとともに前記アンテナ素子と電磁的に結合又は電気的に接続する接地導体を備えた携帯型テレビ放送受信装置。
【請求項１２】
前記設置台装置の導電性素子は、電気長が受信信号の搬送波の半波長以上である請求項１１に記載の携帯型テレビ放送受信装置。
【発明の詳細な説明】
【技術分野】
【０００１】
本発明は、テレビ放送受信機能を有する携帯型のテレビ放送受信装置及びこれを載置させる設置台装置に関する。
【背景技術】
【０００２】
近時、テレビジョン放送(以下、「テレビ放送」とよぶ)はアナログ方式からデジタル方式へ移行してきており、現在ではテレビ放送において地上波デジタル放送が実用化されてきている。
この地上波デジタル放送は、通信速度８４０ｋｂｐｓによるテレビジョン動画像の配信であるが、通信速度が３８４ｋｂｐｓ〜２Ｍｂｐｓ程度に高速化された第３世代携帯電話機などの携帯電話機に地上波デジタル放送用の受信機を搭載した携帯型のテレビ放送受信装置(以下、これを「携帯型テレビ放送受信装置」とよぶ)の開発が市場から強く望まれている。そこで、この携帯型テレビ放送受信装置として、特許文献１に記載のように携帯電話機に地上波デジタル放送の受信機を搭載したものが提案されている。
【０００３】
一方、携帯電話機を充電する設置台として、特許文献２に記載のように、携帯電話機のアンテナを伸長したまま充電できる充電器が知られている。さらに、また、携帯電話機の充電する設置台としては、特許文献３に記載のように、任意の位置に設置可能なアンテナを備えた充電器であって、充電時は充電器に配設してあるアンテナを選択して動作させ、携帯電話機のアンテナ利得を高めるように構成した充電器も知られている。
【特許文献１】特開２００４−２０７８８０号公報
【特許文献２】実開平７−７２３７号公報
【特許文献３】特開２００１−１６８９８２号公報
【発明の開示】
【発明が解決しようとする課題】
【０００４】
しかしながら、従来の設置台及び携帯型テレビ放送受信装置では、例えば、折畳式の携帯電話機を設置台に載置した場合、放射に寄与する電気長の和がデジタルテレビジョン放送（以下、「デジタルテレビ放送」とよぶ）の受信信号の搬送波の半波長以下となるため、高いアンテナ利得を得ることができないといった問題があった。例えば、デジタルテレビ放送は、ＵＨＦ帯の場合、４７０ＭＨｚから７６０ＭＨｚの周波数を使用することとなっており、テレビ放送受信用アンテナとして高い利得を実現するために、放射に寄与する電気長を、携帯型テレビ放送受信装置の筐体長を含めて約３５ｃｍ以上(４７０ＭＨｚの半波長以上)に確保する必要がある。
【０００５】
一方、近年、携帯型テレビ放送受信装置に設けるアンテナは内蔵化が進んでおり、設置台に折畳式の携帯型テレビ放送受信装置を載置した場合、その筐体長は約１０ｃｍ程度(４７０ＭＨｚの約１／６波長)となる。そのため、テレビ放送受信用アンテナとして高い利得を実現するには、携帯型テレビ放送受信装置の筐体に約２５ｃｍ以上のグランドを付加し、放射に寄与する電気長を１／６波長から半波長以上に拡大させる必要がある。
【０００６】
本発明は、上記事情に鑑みてなされたもので、テレビ放送受信機能を有する携帯型テレビ放送受信装置を設置台上に載置したときにテレビ放送受信アンテナのアンテナ利得を高めることができる設置台装置及び携帯型テレビ放送受信装置を提供することを目的とする。
【課題を解決するための手段】
【０００７】
本発明の設置台装置は、テレビ放送受信用のアンテナ素子と、テレビ放送受信部とを有する携帯型テレビ放送受信装置を載置し、前記携帯型テレビ放送受信装置によりテレビ放送を視聴する設置台装置であって、前記携帯型テレビ放送受信装置を載置すると前記携帯型テレビ放送受信装置に設けた前記アンテナ素子と電磁的に結合又は電気的に接続する結合素子と、この結合素子と電磁的に結合又は電気的に接続した外部アンテナ素子とを備えたことを特徴とする。この構成により、設置台上におけるテレビ放送受信アンテナのアンテナ利得を高めることができる。
【０００８】
本発明の設置台装置は、前記外部アンテナ素子が、前記携帯型テレビ放送受信装置に設けた前記アンテナ素子と略平行に配置したことを特徴とする。この構成により、外部アンテナ素子と前記アンテナ素子を略平行に配置した構成でも、設置台上におけるテレビ放送受信アンテナのアンテナ利得を高めることができるので、アンテナ素子の設置自由度が高まる。
【０００９】
本発明の設置台装置は、テレビ放送受信用のアンテナ素子と、このアンテナ素子と電磁的に結合又は電気的に接続するアンテナ端子と、テレビ放送受信部とを備えた携帯型テレビ放送受信装置を載置し、前記携帯型テレビ放送受信装置によりテレビ放送を視聴する設置台装置であって、前記携帯型テレビ放送受信装置を載置すると、前記携帯型テレビ放送受信装置に設けた前記アンテナ端子と電磁的に結合又は電気的に接続する外部アンテナ素子を備えたことを特徴とする。この構成により、設置台上におけるテレビ放送受信アンテナのアンテナ利得を高めることができる。
【００１０】
本発明の設置台装置は、前記外部アンテナ素子が、この電気長と前記携帯型テレビ放送受信装置に設けた前記アンテナ素子の電気長との和が受信信号の搬送波の半波長以上であることを特徴とする。この構成により、設置台上におけるテレビジョン放送受信アンテナのアンテナ利得を高めることができる携帯型テレビ放送受信装置について、小型化が可能となる。
【００１１】
本発明の設置台装置は、テレビ放送受信用のアンテナ素子と、このアンテナ素子と電磁的に結合又は電気的に接続する接地導体と、テレビ放送受信部とを備えた携帯型テレビ放送受信装置を載置し、前記携帯型テレビ放送受信装置によりテレビ放送を視聴する設置台装置であって、前記携帯型テレビ放送受信装置を載置すると、前記携帯型テレビ放送受信装置に設けた前記接地導体と電磁的に結合又は電気的に接続する導電性素子を備えたことを特徴とする。この構成により、設置台上におけるテレビ放送受信アンテナのアンテナ利得を高めることができる。
【００１２】
本発明の設置台装置は、前記導電性素子が、電気長が受信信号の搬送波の半波長以上であることを特徴とする。この構成により、設置台上におけるテレビ放送受信アンテナのアンテナ利得を高めることができる携帯型テレビ放送受信装置について、小型化が可能となる。
【００１３】
本発明の携帯型テレビ放送受信装置は、テレビ放送受信用のアンテナ素子と、テレビ放送受信部とを有する携帯型テレビ放送受信装置であって、上記の設置台装置に載置してテレビ放送を視聴する際に、前記アンテナ素子と電磁的に結合又は電気的に接続するとともに前記設置台装置に設けた外部アンテナ素子と電磁的に結合又は電気的に接続する結合素子を備えたことを特徴とする。この構成により、設置台上におけるテレビ放送受信アンテナのアンテナ利得を高めることができる。
【００１４】
本発明の携帯型テレビ放送受信装置は、前記アンテナ素子が、前記外部アンテナ素子と略平行に配置したことを特徴とする。この構成により、外部アンテナ素子と前記アンテナ素子を略平行に配置した構成でも、設置台上におけるテレビ放送受信アンテナのアンテナ利得を高めることができるので、アンテナ素子の設置自由度が高まる。
【００１５】
本発明の携帯型テレビ放送受信装置は、テレビ放送受信用のアンテナ素子と、前記アンテナ素子と電磁的に結合又は電気的に接続するアンテナ端子と、テレビ放送受信部とを備えた携帯型テレビ放送受信装置であって、上記の設置台装置に載置してテレビ放送を視聴する際に、前記設置台装置に設けた前記外部アンテナ素子と電磁的に結合又は電気的に接続するアンテナ端子を備えたことを特徴とする。この構成により、設置台上におけるテレビ放送受信アンテナのアンテナ利得を高めることができる。
【００１６】
本発明の携帯型テレビ放送受信装置は、前記アンテナ素子が、この電気長と前記設置台装置に設けた前記外部アンテナ素子の電気長との和が受信信号の搬送波の半波長以上であることを特徴とする。この構成により、設置台上におけるテレビジョン放送受信アンテナのアンテナ利得を高めることができる携帯型テレビ放送受信装置について、小型化が可能となる。
【００１７】
本発明の携帯型テレビ放送受信装置は、テレビ放送受信用のアンテナ素子と、テレビ放送受信部とを備えた携帯型テレビ放送受信装置であって、上記の設置台装置に載置してテレビ放送を視聴する際に、前記設置台装置に設けた前記導電性素子と電磁的に結合又は電気的に接続するとともに前記アンテナ素子と電磁的に結合又は電気的に接続する接地導体を備えたことを特徴とする。この構成により、設置台上におけるテレビ放送受信アンテナのアンテナ利得を高めることができる。
【００１８】
本発明の携帯型テレビ放送受信装置は、前記設置台装置の導電性素子が、電気長が受信信号の搬送波の半波長以上であることを特徴とする。この構成により、設置台上におけるテレビ放送受信アンテナのアンテナ利得を高めることができる携帯型テレビ放送受信装置について、小型化が可能となる。
【発明の効果】
【００１９】
本発明によれば、携帯型テレビ放送受信装置を設置台に載置したときに、設置台の結合素子と携帯型テレビ放送受信装置のアンテナ素子と電磁的に結合させ又は電気的に接続させ、設置台側アンテナの放射に寄与する電気長の長さを放送受信信号の搬送波の半波長以上することで、テレビジョン放送受信用アンテナのアンテナ利得を高くできる設置台装置を提供できる。
【発明を実施するための最良の形態】
【００２０】
以下、本発明の実施形態について、添付図面を参照しながら詳細に説明する。
[第１の実施形態]
図１は、本発明の第１の実施形態に係る設置台装置及び携帯型テレビ放送受信装置１を示すものであり、この設置台装置は、携帯型テレビ放送受信装置１を載置する設置台２を備えている。携帯型テレビ放送受信装置１は、筐体部分が折畳可能なものであり、放送受信部１１と、アンテナ素子１２などを備えており、アンテナ素子１２と放送受信部１１を用いてテレビ放送の受信信号を受信することで、設置台２に載置させた状態のままテレビ放送を視聴できる。なお、折り畳んだ場合の携帯型テレビ放送受信装置１の筐体長は約Ｌ１(たとえばＬ１＝１０ｃｍ)である。
【００２１】
放送受信部１１は、アンテナ素子１２で受信したテレビ放送の受信信号を受信し復調するよう動作する。アンテナ素子１２は、携帯型テレビ放送受信装置１の内部に設けられており、テレビ放送の受信信号を受信し、放送受信用受信部１１へ伝達するよう動作する。例えば、アンテナ素子１２は、ループ開口面を携帯型テレビ放送受信装置１の一面に対して直交して配置されるループアンテナ方式で構成され、受信周波数４７０ＭＨｚ乃至７７０ＭＨｚにおいて高周波信号を効率よく伝送するよう整合されている。
【００２２】
携帯型テレビ放送受信装置１載置用の設置台２は、携帯型テレビ放送受信装置１を折り畳んだ状態で載置するようになっており、前述したように、携帯型テレビ放送受信装置１を載置した状態でテレビジョン放送を視聴できる。設置台２には、結合素子２１と、外部アンテナ素子２２とを備えている。また、設置台２は、携帯型テレビ放送受信装置１を充電することもできる。
結合素子２１は、携帯型テレビ放送受信装置１の筐体に内蔵されたアンテナ素子１２の一辺と略平行となるように設置台２に配置されており、アンテナ素子１２と電磁結合するよう動作する。結合素子２１と外部アンテナ素子２２で、「設置台側アンテナ」を構成する。
外部アンテナ素子２２は、設置台２に配置されているとともに、結合素子２１と接続されており、テレビ放送の受信信号を受信するよう動作する。外部アンテナ素子２２は、例えば素子長Ｌ２（＝２５ｃｍ）のモノポールアンテナで構成される。外部アンテナ素子２２の素子長Ｌ２は、携帯型テレビ放送受信装置１の筐体長Ｌ１と外部アンテナ素子２２の素子長Ｌ２の和が、放送受信信号の搬送波の半波長以上(約３５ｃｍ以上)となるように設定される。また、結合素子２１と外部アンテナ素子２２で、設置台側アンテナを構成する。
【００２３】
次に、上記のような構成による本実施形態の携帯型テレビ放送受信装置において、設置台２に携帯型テレビ放送受信装置１を載置した場合の動作を説明する。
携帯型テレビ放送受信装置１は、設置台２に載置されているとき、ループアンテナ方式で構成されているアンテナ素子１２は、このアンテナ素子１２の一辺と平行となるように載置されている結合素子２１と電磁的に結合する。結合素子２１は外部アンテナ素子２２と接続されているため、結合素子２１及び外部アンテナ素子２２が設置台側アンテナとして動作し、携帯型テレビ放送受信装置１が設置台２に載置されている場合は、設置台側アンテナがテレビ放送受信用のアンテナとして動作する。
設置台側アンテナが放送用受信アンテナとして動作した時、設置台側アンテナの放射に寄与する電気長の長さは、Ｌ１＋Ｌ２（＝３５ｃｍ）であり、放送受信信号の半波長以上(周波数４７０ＭＨｚの半波長以上)とすることができる。従って、放送用受信アンテナのアンテナ利得を高くできる。
このように、本実施形態によれば、以上の動作により、設置台２に携帯型テレビ放送受信装置１を載置した場合において、テレビジョン放送受信用アンテナのアンテナ利得を高くすることができる。
【００２４】
従って、本実施形態によれば、携帯型テレビ放送受信装置１の設置台２に、携帯型テレビ放送受信装置のアンテナ素子１２と電磁的に結合する結合素子２１と、筐体長(Ｌ１)との和がテレビ放送受信信号の搬送波の半波長以上となる外部アンテナ素子２２を設けている。そして、設置台２に携帯型テレビ放送受信装置１を載置したときに、放送受信用アンテナとして結合素子２１と外部アンテナ素子２２で構成された設置台側アンテナを使用し、この設置台側アンテナの放射に寄与する電気長の長さをテレビ放送受信信号の搬送波の半波長以上とすることで、テレビジョン放送受信用アンテナのアンテナ利得を高くできる。このように、本実施形態では、設置台上で携帯型テレビ放送受信装置１のテレビ放送受信用アンテナのアンテナ利得を高めることができる設置台２を実現できる。なお、結合素子２１を、図２に示すようにアンテナ素子１２の短辺と平行となるように載置しても同様の効果を得ることができる。
【００２５】
また、本発明の携帯型テレビ放送受信装置にあっては、携帯電話機能を付加した携帯型テレビ放送受信装置でも同様の効果を得ることができる。また、本発明の携帯型テレビ放送受信装置のアンテナ素子は、図３に示すようなモノポールアンテナで構成した場合も、同様の効果を得ることができる。
【００２６】
[第２の実施形態]
次に、本発明の第２の実施形態に係る設置台装置及び携帯型テレビ放送受信装置について説明する。なお、本実施形態において、第１の実施形態と同一部分には同一符号を付して重複説明を避ける。
図４に示す第２の実施形態に係る設置台装置は、設置台４に載置する携帯型テレビ放送受信装置３に、テレビ放送受信部１１と、アンテナ素子３２と、アンテナ端子３３とを備えているが、特に、携帯型テレビ放送受信装置３にアンテナ端子３３を備えていることが、図１に示す第１の実施形態の携帯型テレビ放送受信装置１との相違点である。
【００２７】
アンテナ端子３３は、アンテナ素子３２と電磁的に結合させるために携帯型テレビ放送受信装置３に設けている。そして、携帯型テレビ放送受信装置３を設置台４に載置した場合、アンテナ端子３３は外部アンテナ素子２２と接続するよう動作する。
一方、外部アンテナ素子２２は、携帯型テレビ放送受信装置３を設置台４に載置した場合にアンテナ端子３３と接続するような構成で設置台４に配置されており、テレビ放送の受信信号を受信動作する。また、外部アンテナ素子２２は、例えば素子長Ｌ２（＝２５ｃｍ）のモノポールアンテナで構成される。この外部アンテナ素子２２の素子長Ｌ２は、携帯型テレビ放送受信装置３の筐体長Ｌ１と外部アンテナ素子２２の素子長Ｌ２の和が、テレビ放送受信信号の搬送波の半波長以上(約３５ｃｍ以上)となるように設定される。また、本実施形態では、外部アンテナ素子２２単体が設置台側アンテナである。
【００２８】
次に、設置台４に上記のような構成を有する携帯型テレビ放送受信装置３を載置した場合の動作について説明する。
携帯型テレビ放送受信装置３を設置台４に載置したとき、外部アンテナ素子２２は携帯型テレビ放送受信装置３のアンテナ端子３３と接続される。一方、アンテナ端子３３は、アンテナ素子３２と電磁的に結合していることから、外部アンテナ素子２２で受信したテレビ放送受信信号を、放送受信部１１へ伝達できる。従って、携帯型テレビ放送受信装置３を設置台４に載置したときには、設置台側アンテナ(外部アンテナ素子２２)が放送受信用のアンテナとして動作する。
また、この設置台側アンテナ(外部アンテナ素子２２)がテレビ放送用受信アンテナとして動作した場合、設置台側アンテナの放射に寄与する電気長の長さはＬ１＋Ｌ２（＝３５ｃｍ）であり、放送受信信号の搬送波の半波長以上(周波数４７０ＭＨｚの半波長以上)とすることができる。従って、放送用受信アンテナのアンテナ利得を高めることができる。
このように、本実施形態によれば、以上のような動作により、設置台４に携帯型テレビ放送受信装置３を載置した場合において、テレビジョン放送受信用アンテナのアンテナ利得を高くすることができる。
【００２９】
従って、本発明実施形態によれば、アンテナ素子３２と電磁的に結合するよう携帯型テレビ放送受信装置３にアンテナ端子３３を設けておき、設置台４に携帯型テレビ放送受信装置３を載置した場合、外部アンテナ素子２２とアンテナ端子３３が接続する。このため、放送受信用アンテナとして設置台側アンテナ(外部アンテナ素子２２)を使用し、設置台側アンテナの放射に寄与する電気長の長さを放送受信信号の搬送波の半波長以上とすることで、テレビ放送受信用アンテナでのアンテナ利得を高くできる。このように、本実施形態では、設置台４上における携帯型テレビ放送受信装置３のテレビ放送受信用アンテナのアンテナ利得を高めることができる設置台４が実現できる。
【００３０】
また、本発明の携帯型テレビ放送受信装置は、携帯電話機能を付加した携帯型テレビ放送受信装置でも同様の効果を得ることができる。また、イヤホン端子にイヤホンケーブルを接続することでイヤホンケーブルをアンテナとして使用できる携帯型テレビ放送受信装置にあっては、アンテナ端子の変わりにイヤホン端子を外部アンテナ素子２２と接続しても同様の効果を得ることができる。
【００３１】
[第３の実施形態]
次に、本発明の第３の実施形態に係る設置台装置及び携帯型テレビ放送受信装置について説明する。なお、本実施形態において、第１、第２の実施形態と同一部分には同一符号を付して重複説明を避ける。
図５に示す第３の実施形態に係る設置台装置は、設置台６に載置する携帯型テレビ放送受信装置５が、放送受信部(図示せず)と、アンテナ素子５２と、接地導体５３とを備えており、携帯型テレビ放送受信装置５に接地導体５３を備えていることと、設置台６に導電性素子６１だけを備えていることが、第１の実施形態との相違点である。
【００３２】
接地導体５３は、上述したように、携帯型テレビ放送受信装置５に備えており、携帯型テレビ放送受信装置５を設置台６に載置した場合、設置台６に備えている導電性素子６１と物理的に接触する。
導電性素子６１は、例えば導電性の板金で構成されており、その素子長は、テレビ放送受信信号の搬送波の半波長以上(Ｌ３＝３５[ｃｍ]以上)である。また、この導電性素子６１は、携帯型テレビ放送受信装置５を設置台６に載置した場合、接地導体５３と電気的に接続される。なお、この導電性素子６１と接地導体５３は、電磁気的に結合するように構成してもよい。
【００３３】
次に、上記のような構成による本実施形態の携帯型テレビ放送受信装置５を設置台６に載置した場合の動作について説明する。
携帯型テレビ放送受信装置５を設置台６に載置すると、接地導体５３と導電性素子６１が接続する。この時、アンテナ素子５２が放送用受信アンテナとして動作するが、接地導体５３と導電性素子６１が接続しているため、アンテナ素子５２の放射に寄与する電気長の長さをＬ３（＝３５ｃｍ）にすることができ、放送受信信号の搬送波の半波長以上(周波数４７０ＭＨｚの半波長以上)にすることができる。従って、携帯型テレビ放送受信装置５において、放送用受信アンテナのアンテナ利得を高めることができる。
このように、本実施形態によれば、以上の動作により、設置台６に携帯型テレビ放送受信装置５を載置したときに、携帯型テレビ放送受信装置５のテレビ放送受信用アンテナのアンテナ利得を高くできる。
【００３４】
従って、本発明実施形態によれば、設置台６にテレビ放送受信信号の搬送波の半波長以上となる長さの導電性素子６１を備えておき、設置台６に携帯型テレビ放送受信装置５を載置すると、携帯型テレビ放送受信装置５と導電性素子６１が物理的に接触することで、アンテナ素子５２の放射に寄与する電気長の長さを放送受信信号の搬送波の半波長以上に形成できる。その結果、テレビジョン放送受信用アンテナのアンテナ利得を高めることができる。このように、本実施形態でも、設置台に携帯型テレビ放送受信装置を載置したときに、携帯型テレビ放送受信装置５のテレビ放送受信用アンテナのアンテナ利得を高くできる設置台６を実現できる。
【００３５】
また、本発明の設置台装置は、携帯電話機能を付加した携帯型テレビ放送受信装置でも同様の効果を得ることができる。また、導電性素子として、例えば図６に示すように、設置台８の電源ケーブル８１を使用しても同様の効果を得ることもできる。この場合、携帯型テレビ放送受信装置７の筐体長Ｌ１と電源ケーブル８１の線路長Ｌ４の和をテレビ放送受信信号の搬送波の半波長以上とする必要がある。なお、電源ケーブル８１の線路長Ｌ４は、コイルやコンデンサなどの素子で構成される遮断回路８２の位置によって設定できる。
【００３６】
なお、本発明は上述した実施形態に何ら限定されるものではなく、その要旨を逸脱しない範囲において種々の形態で実施し得るものである。
【産業上の利用可能性】
【００３７】
本発明の設置台装置及び携帯型テレビ放送受信装置は、携帯型テレビ放送受信装置を設置台に載置したときに、設置台の結合素子と携帯型テレビ放送受信装置のアンテナ素子と電磁的に結合させ又は電気的に結合させ、設置台側アンテナの放射に寄与する電気長の長さを放送受信信号の搬送波の半波長以上することで、テレビジョン放送受信用アンテナのアンテナ利得を高くできるという効果を有し、携帯型テレビ放送受信装置や放送受信機能付き携帯電話機などの携帯型テレビ放送受信装置及び設置台等に有用である。
【図面の簡単な説明】
【００３８】
【図１】本発明の第１の実施形態に係る設置台装置及び携帯型テレビ放送受信装置を示すものであり、（Ａ）はその概略斜視図、（Ｂ）はIA−IA線断面図、（Ｃ）はIB−IB線断面図
【図２】その設置台装置及び携帯型テレビ放送受信装置の変形例を示すものであり、（Ａ）はその概略斜視図、（Ｂ）はIIA−IIA線断面図、（Ｃ）はIIB−IIB線断面図
【図３】その設置台装置及び携帯型テレビ放送受信装置他の変形例を示すものであり、（Ａ）はその概略斜視図、（Ｂ）はIIIA−IIIA線断面図、（Ｃ）はIIIB−IIIB線断面図
【図４】本発明の第２の実施形態に係る設置台装置及び携帯型テレビ放送受信装置を示すものであり、（Ａ）はその概略斜視図、（Ｂ）はIV−IV線断面図
【図５】本発明の第３の実施形態に係る設置台装置及び携帯型テレビ放送受信装置を示すものであり、（Ａ）はその概略斜視図、（Ｂ）はV−V線断面図
【図６】その設置台装置及び携帯型テレビ放送受信装置の変形例を示す概略斜視図
【符号の説明】
【００３９】
１、３、５、７  携帯型テレビ放送受信装置
１１  放送受信部
１２  アンテナ素子
２、４、６、８  設置台
２１  結合素子
２２  外部アンテナ素子
３２、５２  アンテナ素子
３３  アンテナ端子
５３  接地導体
６１  導電性素子
８１  電源ケーブル
８２  遮断回路
【図１】
2006303804.tif 000003
【図２】
2006303804.tif 000004
【図３】
2006303804.tif 000005
【図４】
2006303804.tif 000006
【図５】
2006303804.tif 000007
【図６】
2006303804.tif 000008